(57)【要約】【課題】簡易なレンズ構成であって、かつ球面のみで非球面を含まない赤外線カメラ用レンズを提供すること。また、合焦のために物体側第１レンズが移動させず、レンズ全長が変化しない、気密性を容易に実現できる赤外線カメラ用レンズを提供すること。【解決手段】第１正単球面レンズ、第２負単球面レンズ、第３正単球面レンズからなる赤外線カメラ用レンズであって、少なくとも前記第２負単球面レンズまたは第３正単球面レンズを移動させてフォーカシングを行うことを特徴とする赤外線カメラ用レンズ。【選択図】図１
2013114174.tif 000002
【特許請求の範囲】
【請求項１】
第１正単球面レンズ、第２負単球面レンズ、第３正単球面レンズからなる赤外線カメラ用レンズであって、少なくとも前記第２負単球面レンズまたは第３正単球面レンズを移動させてフォーカシングを行うことを特徴とする赤外線カメラ用レンズ。
【請求項２】
前記第２負単球面レンズのみを移動させてフォーカシングを行うことを特徴とする請求項１に記載の赤外線カメラ用レンズ。
【請求項３】
前記第３正単球面レンズのみを移動させてフォーカシングを行うことを特徴とする請求項１に記載の赤外線カメラ用レンズ。
【請求項４】
下記の条件式を満たすことを特徴とする請求項１に記載の赤外線カメラ用レンズ。
０．５  ≦  ｆ／ｆ１  ≦  ０．７              ・・・・・・・（１）
ｆ  ：全体の焦点距離
ｆ１：第１正単球面レンズの焦点距離
【請求項５】
第２負単球面レンズを移動させてフォーカシングを行い、下記の条件式を満たすことを特徴とする請求項１または２に記載の赤外線カメラ用レンズ。
０．０６  ≦  ｜ｍ２／ｆ１｜  ≦  ０．２２    ・・・・・・・（２）
【請求項６】
第３負単球面レンズを移動させてフォーカシングを行い、下記の条件式を満たすことを特徴とする請求項１または２に記載の赤外線カメラ用レンズ。
０．０１  ≦  ｜ｄ３／ｆ１｜  ≦  ０．０４５  ・・・・・・・（３）
ｍ３：物体距離が無限遠から１ｍまでの第３正単球面レンズの移動量
ｆ１：第１正単球面レンズの焦点距離
【請求項７】
前記全レンズの材料が、ゲルマニュウムであることを特徴とする請求項１に記載の赤外線カメラ用レンズ。
【発明の詳細な説明】
【技術分野】
【０００１】
本発明は、赤外線カメラ用レンズ、さらに詳しくは、赤外線による鮮明な結像を形成することによって赤外線サーモグラフィーや監視カメラに好適に使用できる内部合焦式単焦点の赤外線カメラ用レンズに関する。ここで、赤外線とは、波長が３０００〜５０００ｎｍの中赤外線、及び波長が８０００〜１４０００ｎｍの遠赤外線を含む放射である。
【背景技術】
【０００２】
医療用や工業用において多く用いられる１００００ｎｍ前後の波長を使用する遠赤外線用の検知器やビジコンは、感度が低い。また、これらの光学系に使用されているゲルマニュウムは、一般の光学レンズに比較して透過率が低い。従って、これらの測定器の光学系は、被写体からの赤外線を吸収、散乱、反射するレンズ等の光学部品をなるべく少なくして、該赤外線を吸効率良く検知器やビジコンに伝達することが求められている。一方、赤外線カメラ用レンズの機構は、防塵・防滴の面から、内部合焦等気密性を容易に保つことができるものが好ましい。
【０００３】
従来の赤外線カメラ用レンズとして、特に波長域８μｍ〜１２μｍ帯での使用に適し、像周辺部でのノイズを低減して良好な光学性能を達成することができるものであって、物体側に凸面を向けた正のメニスカスレンズの第１レンズＬ１、および物体側に凹面を向けた負のメニスカスレンズの第２レンズＬ２で構成された第１レンズ群Ｇ１と、物体側に凹面を向けた正のメニスカスレンズの第３レンズＬ３、および物体側に凸面を向けた正のメニスカスレンズの第４レンズＬ４で構成された第２レンズ群Ｇ２とを備え、以下の条件を満足する。ただし、Φ１，Φ２は、第１，第２レンズ群Ｇ１，Ｇ２の屈折力。ｆ１は第１レンズＬ１の焦点距離、ｆＴは全系の焦点距離。
０．１２＜｜Φ１／Φ２｜＜０．３２  ……（１）
１．３＜｜ｆ１／ｆＴ｜＜１．９      ……（２）
が提案されている（例えば、特許文献１参照）。
【０００４】
他の従来技術の赤外線カメラ用レンズとして、バックフォーカスを焦点距離と同程度かそれ以上長くして十分に長さを確保し、かつ周辺性能と適度なコンパクト性とを満足しつつ開口効率１００％を達成することができる、特に波長域８μｍ〜１２μｍ帯での使用に適した赤外線カメラ用レンズであって、物体側に凸面を向けた負のメニスカスレンズからなる第１レンズＬ１と正の屈折力を持つ第２レンズＬ２とで構成された負の第１レンズ群Ｇ１と、像側に凸面を向けた正のメニスカスレンズからなる第３レンズＬ３と物体側に凸面を向けた正のメニスカスレンズからなる第４レンズＬ４とで構成された正の第２レンズ群Ｇ２とを備え、以下の条件を満足する。ただし、Ｄ４は第２レンズＬ２の像側の面から第３レンズＬ３の物体側の面までの光軸上の距離、ｆは全系の焦点距離を示す。
１＜Ｄ４／ｆ＜３  ……（１）
が提案されている（例えば、特許文献２参照）
【先行技術文献】
【特許文献】
【０００５】
【特許文献１】特開２００５−０６２５５９号公報
【特許文献２】特開２００５−１７３３４６号公報
【発明の概要】
【発明が解決しようとする課題】
【０００６】
特許文献１の赤外線カメラ用レンズにおいて、レンズ系全体の移動による合焦、及び物体側の第１レンズＬ１の移動による合焦の場合、レンズの気密性の保持が困難であり、防塵・防滴に不適である。また、第２レンズ群すなわちレンズＬ３及びレンズＬ４の移動によって合焦を行う場合、気密性の保持には好ましいが、コマ収差及び像面湾曲の増加により、光学性能の低下がもたらされる。レンズＬ４のみの移動によって合焦を行う場合、コマ収差はじめ多くの収差の増加により、光学性能の低下がもたらされる。
【０００７】
特許文献２の赤外線カメラ用レンズにおいて、レンズ系全体の移動による合焦、及び物体側の第１レンズＬ１の移動による合焦の場合、レンズの気密性の保持が困難であり、防塵・防滴に不適である。敢えて防塵・防滴を実現しようとすれば、鏡筒の複雑化や直径拡大化が避けられない。また、第２レンズ群すなわちレンズＬ３及びレンズＬ４の移動によって合焦を行う場合、気密性の保持には好ましいが、コマ収差及び像面湾曲の増加により、光学性能の低下がもたらされる。レンズＬ４のみの移動によって合焦を行う場合、コマ収差はじめ多くの収差の増加により、光学性能の低下がもたらされる。
【０００８】
（発明の目的）
本発明は、従来の赤外線カメラ用レンズに関する上述した問題点に鑑みてなされたものであって、簡易なレンズ構成であって、かつ球面のみで非球面を含まない赤外線カメラ用レンズを提供することを目的とする。
本発明はまた、合焦のために物体側第１レンズが移動させず、レンズ全長が変化しない、気密性を容易に実現できる赤外線カメラ用レンズを提供することを目的とする。
本発明はさらに、合焦によって結像劣化の少ない赤外線カメラ用レンズを提供することを目的とする。
【課題を解決するための手段】
【０００９】
第１正単球面レンズ、第２負単球面レンズ、第３正単球面レンズからなる赤外線カメラ用レンズであって、少なくとも前記第２負単球面レンズまたは第３正単球面レンズを移動させてフォーカシングを行うことを特徴とする赤外線カメラ用レンズである。
【発明の効果】
【００１０】
本発明によれば、簡易なレンズ構成であって、かつ球面のみで非球面を含まない赤外線カメラ用レンズを構成することができる。
本発明によれば、合焦のために物体側第１レンズが移動させず、レンズ全長が変化しない、気密性を容易に実現できる赤外線カメラ用レンズを構成できる。
本発明はさらに、合焦によって結像劣化の少ない赤外線カメラ用レンズを構成できる。
【００１１】
本発明の実施態様は、以下の通りである。
（第１実施態様）
本発明の赤外線カメラ用レンズにおいて、前記第２負単球面レンズのみを移動させてフォーカシングを行うことを特徴とする。
第１実施態様は、完全な密閉式赤外線カメラ用レンズを形成できる利点がある。
【００１２】
（第２実施態様）
本発明の赤外線カメラ用レンズにおいて、前記第３正単球面レンズのみを移動させてフォーカシングを行うことを特徴とする。
第２実施態様は、フォーカシングのためのレンズの移動量が小さいという利点がある。
【００１３】
（第３実施態様）
本発明の赤外線カメラ用レンズにおいて、下記の条件式を満たすことを特徴とする請求項１に記載の赤外線カメラ用レンズ。
０．５  ≦  ｆ／ｆ１  ≦  ０．７            ・・・・・・・（１）
ｆ  ：全体の焦点距離
ｆ１：第１正単球面レンズの焦点距離
である。
条件式（１）を満たすと、コマ収差を容易に低減することができる利点がある。
【００１４】
（第４実施態様）
本発明の赤外線カメラ用レンズにおいて、第２負単球面レンズを移動させてフォーカシングを行い、下記の条件式を満たすことを特徴とする。
０．０６  ≦  ｜ｍ２／ｆ１｜  ≦  ０．２２    ・・・・・・・（２）
条件式（２）を満たすことによって、レンズ全体を小型化でき、かつ像面湾曲を容易に低減することができる利点がある。
【００１５】
（第５実施態様）
本発明の赤外線カメラ用レンズにおいて、第３負単球面レンズを移動させてフォーカシングを行い、下記の条件式を満たすことを特徴とする。
０．０１  ≦  ｜ｄ３／ｆ１｜  ≦  ０．０４５    ・・・・・・（３）
ｍ３：物体距離が無限遠から１ｍまでの第３正単球面レンズの移動量
ｆ１：第１正単球面レンズの焦点距離
条件式（３）を満たすことによって、レンズ全体を小型化でき、かつ像面湾曲を容易に低減することができる利点がある。
【００１６】
（第６実施態様）
本発明の赤外線カメラ用レンズにおいて、前記全レンズの材料が、ゲルマニュウムであることを特徴とする。
レンズ材料を一種類とすることにより、製造コストを下げ、またレンズによる赤外線の吸収を増大させないという利点がある。
【図面の簡単な説明】
【００１７】
【図１】本発明の第１実施形態の赤外線カメラ用レンズの無限遠合焦時及び１ｍ合焦時の光学断面図である。
【図２】本発明の第１実施形態の赤外線カメラ用レンズの無限遠合焦時の球面収差図である。
【図３】本発明の第１実施形態の赤外線カメラ用レンズの無限遠合焦時のコマ収差図である。
【図４】本発明の第１実施形態の赤外線カメラ用レンズの１ｍ合焦時の球面収差図である。
【図５】本発明の第１実施形態の赤外線カメラ用レンズの１ｍ合焦時のコマ収差図である。
【図６】本発明の第１実施形態の赤外線カメラ用レンズの無限遠合焦時及び１ｍ合焦時の光学断面図である。
【図７】本発明の第１実施形態の赤外線カメラ用レンズの無限遠合焦時の球面収差図である。
【図８】本発明の第１実施形態の赤外線カメラ用レンズの無限遠合焦時のコマ収差図である。
【図９】本発明の第１実施形態の赤外線カメラ用レンズの１ｍ合焦時の球面収差図である。
【図１０】本発明の第１実施形態の赤外線カメラ用レンズの１ｍ合焦時のコマ収差図である。
【図１１】本発明の第１実施形態の赤外線カメラ用レンズの無限遠合焦時及び１ｍ合焦時の光学断面図である。
【図１２】本発明の第１実施形態の赤外線カメラ用レンズの無限遠合焦時の球面収差図である。
【図１３】本発明の第１実施形態の赤外線カメラ用レンズの無限遠合焦時のコマ収差図である。
【図１４】本発明の第１実施形態の赤外線カメラ用レンズの１ｍ合焦時の球面収差図である。
【図１５】本発明の第１実施形態の赤外線カメラ用レンズの１ｍ合焦時のコマ収差図である。
【図１６】本発明の第１実施形態の赤外線カメラ用レンズの無限遠合焦時及び１ｍ合焦時の光学断面図である。
【図１７】本発明の第１実施形態の赤外線カメラ用レンズの無限遠合焦時の球面収差図である。
【図１８】本発明の第１実施形態の赤外線カメラ用レンズの無限遠合焦時のコマ収差図である。
【図１９】本発明の第１実施形態の赤外線カメラ用レンズの１ｍ合焦時の球面収差図である。
【図２０】本発明の第１実施形態の赤外線カメラ用レンズの１ｍ合焦時のコマ収差図である。
【図２１】本発明の第１実施形態の赤外線カメラ用レンズの無限遠合焦時及び１ｍ合焦時の光学断面図である。
【図２２】本発明の第１実施形態の赤外線カメラ用レンズの無限遠合焦時の球面収差図である。
【図２３】本発明の第１実施形態の赤外線カメラ用レンズの無限遠合焦時のコマ収差図である。
【図２４】本発明の第１実施形態の赤外線カメラ用レンズの１ｍ合焦時の球面収差図である。
【図２５】本発明の第１実施形態の赤外線カメラ用レンズの１ｍ合焦時のコマ収差図である。
【図２６】本発明の第１実施形態の赤外線カメラ用レンズの無限遠合焦時及び１ｍ合焦時の光学断面図である。
【図２７】本発明の第１実施形態の赤外線カメラ用レンズの無限遠合焦時の球面収差図である。
【図２８】本発明の第１実施形態の赤外線カメラ用レンズの無限遠合焦時のコマ収差図である。
【図２９】本発明の第１実施形態の赤外線カメラ用レンズの１ｍ合焦時の球面収差図である。
【図３０】本発明の第１実施形態の赤外線カメラ用レンズの１ｍ合焦時のコマ収差図である。
【図３１】本発明の第１実施形態の赤外線カメラ用レンズの無限遠合焦時及び１ｍ合焦時の光学断面図である。
【図３２】本発明の第１実施形態の赤外線カメラ用レンズの無限遠合焦時の球面収差図である。
【図３３】本発明の第１実施形態の赤外線カメラ用レンズの無限遠合焦時のコマ収差図である。
【図３４】本発明の第１実施形態の赤外線カメラ用レンズの１ｍ合焦時の球面収差図である。
【図３５】本発明の第１実施形態の赤外線カメラ用レンズの１ｍ合焦時のコマ収差図である。
【図３６】本発明の第１実施形態の赤外線カメラ用レンズの無限遠合焦時及び１ｍ合焦時の光学断面図である。
【図３７】本発明の第１実施形態の赤外線カメラ用レンズの無限遠合焦時の球面収差図である。
【図３８】本発明の第１実施形態の赤外線カメラ用レンズの無限遠合焦時のコマ収差図である。
【図３９】本発明の第１実施形態の赤外線カメラ用レンズの１ｍ合焦時の球面収差図である。
【図４０】本発明の第１実施形態の赤外線カメラ用レンズの１ｍ合焦時のコマ収差図である。
【発明を実施するための形態】
【００１８】
以下に、本発明の赤外線カメラ用レンズの実施形態のレンズデータ等を示す。
（第１実施形態）
第２レンズの移動によって合焦を行う形態である。
面番号      曲率半径    肉厚間隔    曲率半径    材料（屈折率）    焦点距離
r1      d1    58.71        2.02       13.7       Ge(4.0032)       57.98     f1
r2      d2    86.29        6.94       13.4
(絞り)                     D2         10.9
r3      d3  −18.13        5.8        10         Ge(4.0032)    −431.69     f2
r4      D4  −22.8         D4         12.4
r5      d5    36           4.8        12.2       Ge(4.0032)       27.45     f3
r6      BF    57.52        (BF)       11.2
【００１９】
焦点距離        f=35
全長            66.46mm
物像距離    Ｆ／Ｎｏ    半画角ω      D2      D4      BF      m2
無限遠       1.39        8.92        22.3    11.55   13.05    7.52
１ｍ         1.49        8.48        29.82    4.03   13.05
【００２０】
（条件式の値）
条件式（１）        0.5 ≦ｆ／ｆ１≦ 0.7              0.60
条件式（２）        0.06 ≦｜ｍ２／ｆ１｜≦ 0.22      0.13
【００２１】
（第２実施形態）
第３レンズの移動によって合焦を行う形態である。
面番号      曲率半径    肉厚間隔    曲率半径    材料（屈折率）    焦点距離
r1      d1     58          2          13.7        Ge(4.0032)      58.01     f1
r2      d2     84.7        6.94       13.4
(絞り)                     D2         10.9
r3      d3   −18.13       5.8        10.1        Ge(4.0032)   −431.69     f2
r4      D4   −22.8        D4         12.5
r5      d5     36          4.8        12.3        Ge(4.0032)      27.45     f3
r6      BF     57.52       (BF)       11.3
【００２２】
焦点距離        f=35
全長            66.45mm
物像距離    Ｆ／Ｎｏ    半画角ω      D2      D4      BF      m3
無限遠       1.4         8.92        22.3    11.55   13.06   -1.35
１ｍ         1.35        8.32        22.3    10.2    14.41
【００２３】
（条件式の値）
条件式（１）        0.5 ≦ｆ／ｆ１≦ 0.7              0.60
条件式（３）        0.01 ≦｜ｄ３／ｆ１｜≦ 0.045     0.023
【００２４】
（第３実施形態）
第２レンズの移動によって合焦を行う形態である。
面番号      曲率半径    肉厚間隔    曲率半径    材料（屈折率）    焦点距離
r1      d1     41.94       1.44       10.5        Ge(4.0032)      41.41     f1
r2      d2     61.65       4.96       10.3
(絞り)                     D2          8
r3      d3   −12.95       4.14        8.3        Ge(4.0032)   −299.96     f2
r4      D4   −16.29       D4         10.3
r5      d5     25.72       3.43       10.9        Ge(4.0032)      19.61     f3
r6      BF     41.09       (BF)       11.1
【００２５】
焦点距離        f=25
全長            47.7mm
物像距離    Ｆ／Ｎｏ    半画角ω      D2      D4      BF      m2
無限遠       1.37       12.35       15.93    8.26    9.54     3.57
１ｍ         1.42       11.91       19.68    4.51    9.54
【００２６】
（条件式の値）
条件式（１）        0.5 ≦ｆ／ｆ１≦ 0.7              0.60
条件式（２）        0.06 ≦｜ｍ２／ｆ１｜≦ 0.22      0.09
【００２７】
（第４実施形態）
第３レンズの移動によって合焦を行う形態である。
面番号      曲率半径    肉厚間隔    曲率半径    材料（屈折率）    焦点距離
r1      d1    41.44        1.43       10          Ge(4.0032)      41.45     f1
r2      d2    60.51        4.96        9.7
(絞り)                     D2          7.7
r3      d3  −12.95        4.14        8.2        Ge(4.0032)   −299.96     f2
r4      D4  −16.29        D4         10.2
r5      d5    25.72        3.43       11          Ge(4.0032)      19.61     f3
r6      BF    41.09        (BF)       10.2
【００２８】
焦点距離        f=25
全長            47.69mm
物像距離    Ｆ／Ｎｏ    半画角ω      D2      D4      BF      m3
無限遠       1.42       12.35       15.93    8.25    9.55     -0.7
１ｍ         1.38       12.79       15.93    7.55   10.25
【００２９】
（条件式の値）
条件式（１）        0.5 ≦ｆ／ｆ１≦ 0.7               0.60
条件式（２）        0.01 ≦｜ｍ３／ｆ１｜≦ 0.045      0.017
【００３０】
（第５実施形態）
第２レンズの移動によって合焦を行う形態である。
面番号      曲率半径    肉厚間隔    曲率半径    材料（屈折率）    焦点距離
r1      d1    83.89        2.88       19          Ge(4.0032)      82.87     f1
r2      d2   123.29        9.92       18.6
(絞り)                     D2         15.5
r3      d3  −25.9         8.29       12.8        Ge(4.0032)   −609.7      f2
r4      D4  −32.58        D4         15.8
r5      d5    51.44        6.86       14.6        Ge(4.0032)      39.22     f3
r6      BF    82.18        (BF)       13.3
【００３１】
焦点距離        f=50
全長            94.67mm
物像距離    Ｆ／Ｎｏ    半画角ω      D2      D4      BF      m2
無限遠       1.41        6.28        31.87   16.51   18.34    15.91
１ｍ         1.53        5.83        47.78    0.6    18.34
【００３２】
（条件式の値）
条件式（１）        0.5 ≦ｆ／ｆ１≦ 0.7               0.60
条件式（２）        0.06 ≦｜ｍ２／ｆ１｜≦ 0.22       0.19
【００３３】
（第６実施形態）
第３レンズの移動によって合焦を行う形態である。
面番号      曲率半径    肉厚間隔    曲率半径    材料（屈折率）    焦点距離
r1      d1    82.87        2.88       10          Ge(4.0032)      82.42     f1
r2      d2   121.02        9.92        9.7
(絞り)                     D2          7.7
r3      d3  −25.9         8.29        8.2        Ge(4.0032)   −609.7      f2
r4      D4  −32.58        D4         10.2
r5      d5    51.44        6.86       11          Ge(4.0032)      39.22     f3
r6      BF    82.18        (BF)       10.2
【００３４】
焦点距離        f=50
全長            96.44mm
物像距離    Ｆ／Ｎｏ    半画角ω      D2      D4      BF      m3
無限遠       1.4         6.28        31.87   16.51   18.33    -2.7
１ｍ         1.33        6.65        31.87   13.81   21.03
【００３５】
（条件式の値）
条件式（１）        0.5 ≦ｆ／ｆ１≦ 0.7               0.61
条件式（２）        0.01 ≦｜ｄ３／ｆ１｜≦ 0.045      0.033
【００３６】
（第７実施形態）
第３レンズの移動によって合焦を行う形態である。
面番号      曲率半径    肉厚間隔    曲率半径    材料（屈折率）    焦点距離
r1      d1    45.02        1.5        10.9        Ge(4.0032)      44.05     f1
r2      d2    66.54        6.39       10.6
(絞り)                     D2          7.7
r3      d3  −10.9         3.13        8.2        Ge(4.0032)   −368.25     f2
r4      D4  −13.38        D4         10.1
r5      d5    25.72        3.43       10.8        Ge(4.0032)      19.61     f3
r6      BF    41.09        (BF)       10.1
【００３７】
焦点距離        f=25
全長            47.69mm
物像距離    Ｆ／Ｎｏ    半画角ω      D2      D4      BF      m3
無限遠       1.35       12.4        15.93    7.52    9.79     -0.7
１ｍ         1.32       12.8        15.93    6.82   10.49
【００３８】
（条件式の値）
条件式（１）        0.5 ≦ｆ／ｆ１≦ 0.7               0.57
条件式（２）        0.01 ≦｜ｄ３／ｆ１｜≦ 0.045      0.016
【００３９】
（第８実施形態）
第３レンズの移動によって合焦を行う形態である。
面番号      曲率半径    肉厚間隔    曲率半径    材料（屈折率）    焦点距離
r1      d1    81.11        2.86       18.8        Ge(4.0032)      73.08     f1
r2      d2   125.25        7.47       18.3
(絞り)                     D2         15.6
r3      d3  −25.57        9.33       12.3        Ge(4.0032)  −1210.9      f2
r4      D4  −32.8         D4         15.4
r5      d5    51.44        6.86       13.4        Ge(4.0032)      32.99     f3
r6      BF    82.18        (BF)       12.1
【００４０】
焦点距離        f=50
全長            90.48mm
物像距離    Ｆ／Ｎｏ    半画角ω      D2      D4      BF      m3
無限遠       1.43        6.26        31.87   16.53   15.56    -2.87
１ｍ         1.33        6.7         31.87   13.66   18.43
【００４１】
（条件式の値）
条件式（１）        0.5 ≦ｆ／ｆ１≦ 0.7               0.68
条件式（２）        0.01 ≦｜ｄ３／ｆ１｜≦ 0.045      0.039
【符号の説明】
【００４２】
ＢＦ        バックフォーカス
Ａ          絞り
１          第１レンズ
２          第２レンズ
３          第３レンズ
ｒ１        第１面
ｒ２        第２面
ｒ３        第３面
ｒ４        第４面
ｒ５        第５面
ｒ６        第６面
【図１】
2013114174.tif 000003
【図２】
2013114174.tif 000004
【図３】
2013114174.tif 000005
【図４】
2013114174.tif 000006
【図５】
2013114174.tif 000007
【図６】
2013114174.tif 000008
【図７】
2013114174.tif 000009
【図８】
2013114174.tif 000010
【図９】
2013114174.tif 000011
【図１０】
2013114174.tif 000012
【図１１】
2013114174.tif 000013
【図１２】
2013114174.tif 000014
【図１３】
2013114174.tif 000015
【図１４】
2013114174.tif 000016
【図１５】
2013114174.tif 000017
【図１６】
2013114174.tif 000018
【図１７】
2013114174.tif 000019
【図１８】
2013114174.tif 000020
【図１９】
2013114174.tif 000021
【図２０】
2013114174.tif 000022
【図２１】
2013114174.tif 000023
【図２２】
2013114174.tif 000024
【図２３】
2013114174.tif 000025
【図２４】
2013114174.tif 000026
【図２５】
2013114174.tif 000027
【図２６】
2013114174.tif 000028
【図２７】
2013114174.tif 000029
【図２８】
2013114174.tif 000030
【図２９】
2013114174.tif 000031
【図３０】
2013114174.tif 000032
【図３１】
2013114174.tif 000033
【図３２】
2013114174.tif 000034
【図３３】
2013114174.tif 000035
【図３４】
2013114174.tif 000036
【図３５】
2013114174.tif 000037
【図３６】
2013114174.tif 000038
【図３７】
2013114174.tif 000039
【図３８】
2013114174.tif 000040
【図３９】
2013114174.tif 000041
【図４０】
2013114174.tif 000042